(57)【要約】【課題】静音性を向上させること。【解決手段】実施形態に係る水洗大便器は、ボウル部と、リムノズルと、リム吐水部とを備える。ボウル部は、ボウル形状の受け面の上縁にリム部が形成される。リムノズルは、ボウル部の後部に設けられ、洗浄水を吐水する。リム吐水部は、リム部に設けられ、受け面にリムノズルから吐水される洗浄水を吐水するとともに受け面内で洗浄水を旋回させる。リム吐水部は、リム導水路と、リム吐水口とを有する。リム導水路は、リム部の内部に形成され、リムノズルから吐水される洗浄水を導水する。リム吐水口は、リム導水路から連続して形成されるとともにボウル部の前側領域に形成され、リム導水路に導水される洗浄水を受け面に吐水する。リムノズルは、リム導水路内において洗浄水を上方に向けて吐水するように形成される。【選択図】図７Ｃ
2018091110.tif 000002
【特許請求の範囲】
【請求項１】
ボウル形状の受け面の上縁にリム部が形成されるボウル部と、
前記ボウル部の後部に設けられ、洗浄水源から供給される洗浄水を吐水するリムノズルと、
前記リム部に設けられ、前記受け面に前記リムノズルから吐水される洗浄水を吐水するとともに前記受け面内で洗浄水を旋回させるリム吐水部と
を備え、
前記リム吐水部は、
前記リム部の内部に形成され、前記リムノズルから吐水される洗浄水を導水するリム導水路と、
前記リム導水路から連続して形成されるとともに前記ボウル部の前側領域に形成され、前記リム導水路によって導水される洗浄水を前記受け面に吐水するリム吐水口と
を有し、
前記リムノズルは、
前記リム導水路内において洗浄水を上方に向けて吐水するように形成されること
を特徴とする水洗大便器。
【請求項２】
前記リムノズルは、
前記リム導水路の側壁面に向けて洗浄水を吐水するように形成されること
を特徴とする請求項１に記載の水洗大便器。
【請求項３】
前記リム導水路は、
洗浄水の入口部において前記リムノズルから吐水される洗浄水を上方に導くガイド部を有すること
を特徴とする請求項１または２に記載の水洗大便器。
【請求項４】
前記リムノズルは、
洗浄水を吐水する吐水面の中心軸が当該リムノズルにおける洗浄水の通水路の中心軸に対して上方に傾斜していること
を特徴とする請求項１〜３のいずれか１つに記載の水洗大便器。
【発明の詳細な説明】
【技術分野】
【０００１】
開示の実施形態は、水洗大便器に関する。
【背景技術】
【０００２】
従来、洗浄水源から供給される洗浄水によって洗浄される水洗大便器には、リムノズルと、リム吐水部とを備えるものがある。リムノズルは、リム吐水部に洗浄水源からの洗浄水を吐水する。リム吐水部は、汚物を受ける汚物受け面の上縁に形成されるリム部に設けられ、リム導水路と、リム吐水口とを備える。
【０００３】
リム導水路は、リム部の内部に形成されるとともに、リム部の形状に沿って形成され、リムノズルから吐水される洗浄水を導水する。リム吐水口は、リム導水路から連続して形成され、洗浄水の出口開口であり、汚物受け面に洗浄水を吐水する。
【０００４】
かかる水洗大便器では、リム吐水部（リム吐水口）からの洗浄水の吐水時に、たとえば空気の炸裂音や空気の混じり音などの異音が発生することがある。このため、たとえば、リムノズルに複数の小孔が形成され、リム導水路に、リムノズルの複数の小孔から吐水される洗浄水が衝突する内壁を含む壁で規定される空間部が形成され、複数の小孔からの洗浄水が内壁に衝突することで、空気を微細化して空気による異音を抑制する水洗大便器が知られている（たとえば、特許文献１参照）。
【先行技術文献】
【特許文献】
【０００５】
【特許文献１】特開２００８−３０３６１６号公報
【発明の概要】
【発明が解決しようとする課題】
【０００６】
ところで、上記したような従来の水洗大便器においては、リム吐水口を使用者から見えにくくするために、すなわち便器の意匠性を向上させるために、また、汚物受け面での洗浄水による洗浄性を向上させるために、汚物受け面の半分よりも前側の領域（前側領域）のリム部にリム吐水口を配置することが考えられる。
【０００７】
しかしながら、汚物受け面の前側領域にリム吐水口を配置すると、リム導水路が長くなり、リム導水路内の空気量が増大して空気による異音が発生しやすくなるという問題が生じる。すなわち、上記したような従来の水洗大便器は、静音性について改善の余地がある。
【０００８】
実施形態の一態様は、空気による異音を抑制して、静音性を向上させることができる水洗大便器を提供することを目的とする。
【課題を解決するための手段】
【０００９】
実施形態の一態様に係る水洗大便器は、ボウル形状の受け面の上縁にリム部が形成されるボウル部と、前記ボウル部の後部に設けられ、洗浄水源から供給される洗浄水を吐水するリムノズルと、前記リム部に設けられ、前記受け面に前記リムノズルから吐水される洗浄水を吐水するとともに前記受け面内で洗浄水を旋回させるリム吐水部とを備え、前記リム吐水部は、前記リム部の内部に形成され、前記リムノズルから吐水される洗浄水を導水するリム導水路と、前記リム導水路から連続して形成されるとともに前記ボウル部の前側領域に形成され、前記リム導水路によって導水される洗浄水を前記受け面に吐水するリム吐水口とを有し、前記リムノズルは、前記リム導水路内において洗浄水を上方に向けて吐水するように形成されることを特徴とする。
【００１０】
かかる構成によれば、リムノズルがリム導水路内において上方に向けて洗浄水を吐水するように形成されるため、リム導水路によって導水される洗浄水がリム導水路内における上部に流れ込みやすくなり、リム導水路内の上部に溜まっている空気が流れ込んだ洗浄水に撹拌される。これにより、リム導水路内の空気が微細化され、リム吐水口からの洗浄水の吐水時における空気による異音を抑制することができ、静音性を向上させることができる。
【００１１】
また、上記した水洗大便器では、前記リムノズルは、前記リム導水路の側壁面に向けて洗浄水を吐水するように形成されることを特徴とする。かかる構成によれば、リムノズルがリム導水路内において上方かつリム導水路の側壁面に向けて洗浄水を吐水するように形成されるため、リム導水路によって導水される洗浄水がリム導水路内における上部に流れ込みやすくなり、かつ、リム導水路の側壁面に沿って洗浄水を導水させることができる。これにより、リム導水路内の上部に溜まっている空気がより確実に撹拌され、空気による異音をさらに抑制することができる。
【００１２】
また、上記した水洗大便器では、前記リム導水路は、洗浄水の入口部において前記リムノズルから吐水される洗浄水を上方に導くガイド部を有することを特徴とする。かかる構成によれば、洗浄水がリム導水路内における上部にさらに流れ込みやすくなり、リム導水路内の上部に溜まっている空気がより確実に撹拌され、空気による異音をさらに抑制することができる。
【００１３】
また、上記した水洗大便器では、前記リムノズルは、洗浄水を吐水する吐水面の中心軸が当該リムノズルにおける洗浄水の通水路の中心軸に対して上方に傾斜していることを特徴とする。かかる構成によれば、上方に向けて洗浄水を吐水するようなリムノズルを容易に形成することができる。これにより、リム導水路によって導水される洗浄水がリム導水路内における上部に流れ込みやすくなり、リム導水路内の上部に溜まっている空気が流れ込んだ洗浄水に撹拌され、空気による異音を抑制することができる。
【発明の効果】
【００１４】
実施形態の一態様によれば、空気による異音を抑制して、静音性を向上させることができる。
【図面の簡単な説明】
【００１５】
【図１】図１は、実施形態に係る水洗大便器の斜視図である。
【図２】図２は、実施形態に係る水洗大便器の便器本体の分解斜視図である。
【図３】図３は、実施形態に係る水洗大便器の左側断面図である。
【図４】図４は、実施形態に係る水洗大便器の便器本体の平面図である。
【図５】図５は、実施形態に係る水洗大便器の便器本体の拡大平面図である。
【図６Ａ】図６Ａは、図５におけるＡ−Ａ断面図である。
【図６Ｂ】図６Ｂは、図５におけるＢ−Ｂ断面図である。
【図６Ｃ】図６Ｃは、図５におけるＣ−Ｃ断面図である。
【図６Ｄ】図６Ｄは、図５におけるＤ−Ｄ断面図である。
【図６Ｅ】図６Ｅは、図５におけるＥ−Ｅ断面図である。
【図７Ａ】図７Ａは、リムノズルの斜視図である。
【図７Ｂ】図７Ｂは、リムノズルの平面図である。
【図７Ｃ】図７Ｃは、図７ＢにおけるＦ−Ｆ断面図である。
【図７Ｄ】図７Ｄは、リムノズルの吐出面の説明図である。
【図８Ａ】図８Ａは、リム導水路内の洗浄水の流れの態様を示す図（その１）である。
【図８Ｂ】図８Ｂは、リム導水路内の洗浄水の流れの態様を示す図（その２）である。
【図８Ｃ】図８Ｃは、リム導水路内の洗浄水の流れの態様を示す図（その３）である。
【図９Ａ】図９Ａは、比較例におけるリム導水路内の洗浄水および空気の態様を示す図（その１）である。
【図９Ｂ】図９Ｂは、比較例におけるリム導水路内の洗浄水および空気の態様を示す図（その２）である。
【図１０Ａ】図１０Ａは、実施形態におけるリム導水路内の洗浄水および空気の態様を示す図（その１）である。
【図１０Ｂ】図１０Ｂは、実施形態におけるリム導水路内の洗浄水および空気の態様を示す図（その２）である。
【発明を実施するための形態】
【００１６】
以下、添付図面を参照して、本願の開示する水洗大便器の一実施形態を詳細に説明する。なお、以下に示す実施形態によりこの発明が限定されるものではない。
【００１７】
＜水洗大便器の全体構成＞
まず、図１〜図５を参照して実施形態に係る水洗大便器１の全体構成について説明する。図１は、実施形態に係る水洗大便器１の斜視図である。図２は、実施形態に係る水洗大便器１の便器本体２の分解斜視図である。なお、図１には、便蓋３および便座４（図３参照）を閉じた状態の水洗大便器１を示し、図２には、便器本体２を示している。
【００１８】
図３は、実施形態に係る水洗大便器１の左側断面図である。図４は、実施形態に係る水洗大便器１の便器本体２の平面図である。図５は、実施形態に係る水洗大便器１の便器本体２の拡大平面図である。なお、図５には、リム部１０の平面を示している。
【００１９】
また、図１〜図５には、説明をわかりやすくするために、鉛直上向きを正方向とするＺ軸を含む３次元の直交座標系を図示している。かかる直交座標系は、他の図においても図示している場合がある。また、かかる直交座標系は、Ｙ軸の正方向を正面と規定し、Ｘ軸の正方向を左側面、Ｘ軸の負方向を右側面、Ｚ軸の負方向を平面（「上面」ともいう）と規定している。このため、以下の説明では、Ｘ軸方向を左右方向、Ｙ軸方向を前後方向、Ｚ軸方向を上下方向という場合がある。
【００２０】
また、図１〜図５には、床置き式の水洗大便器１を例示しているが、これに限定されず、たとえば壁掛け式であってもよい。図１〜図３に示すように、水洗大便器１は、便器本体２と、便蓋３と、便座４と、機能部５とを備える。便器本体（以下、「便器」という）２は、たとえば陶器製である。便蓋３は、上下方向に回動可能に設けられ、便器２の上面を開閉する。便座４は、便器２の上面に上下方向に回動可能に設けられる。
【００２１】
図３に示すように、機能部５は、便器２の後部に設けられる。機能部５は、衛生洗浄系機能部６と、給水系機能部７とを備える。衛生洗浄系機能部６は、便器２の後部に設けられ、使用者の局部洗浄に関する機能を有する。給水系機能部７は、便器２の後部において衛生洗浄系機能部６に近接して設けられ、便器２への給水に関する機能を有する。
【００２２】
図２および図３に示すように、便器２は、ボウル部１１を備える。ボウル部１１は、受け面８と、棚面９と、リム部１０とを備える。受け面（以下、「汚物受け面」という）８は、ボウル形状に形成され、汚物を受ける。リム部１０は、汚物受け面８の上縁に設けられる棚面９から立ち上がるように形成される。図３に示すように、便器２は、ボウル部１１の下部に入口部１２ａが接続されて、ボウル部１１内の汚物を排出する排水路である排水トラップ管路１２を備える。
【００２３】
図４に示すように、ボウル部１１は、平面視において前後方向に二等分する左右方向に延びる中心線ｃ１に対して前側となる前側領域Ｆ１と、後側となる後側領域Ｒ１とを備える。ボウル部１１における前側領域Ｆ１内の左右いずれか一方のリム部１０、すなわち、便器２を前方から見てボウル部１１の前側領域Ｆ１内の右側のリム部１０の内部には、後述するリム吐水部３０の一部であるリム導水路１３が形成される。また、リム導水路１３の下流端には、リム吐水部３０の一部であるリム吐水口１４が形成される。
【００２４】
また、図４に示すように、リム導水路１３の上流側は、洗浄水源である水道（図示せず）から供給される洗浄水をリム導水路１３に供給する導水路である導水管１５に接続される。また、便器２は、導水管１５の先端に接続され、リム導水路１３の入口部１３ａに配置されるリムノズル４０を備える。たとえば、導水管１５は、上流側が、洗浄水源である水道に直結される。水道の給水圧力を利用して導水管１５からリム導水路１３内に供給される洗浄水は、リム導水路１３内において前方に導水され、内側かつ後側に屈曲して下流のリム吐水口１４まで導水される。
【００２５】
リム吐水口１４に導水された洗浄水は、後方に向けて吐水（「リム吐水」という）され、リム吐水口１４の下流付近に形成される、後述する通水路１６を経てボウル部１１内を旋回することにより、ボウル部１１内において洗浄水の旋回流を形成する。なお、リム部１０に設けられ、洗浄水を吐水してボウル部１１内に旋回流を形成する吐水口はリム吐水口１４のみである。
【００２６】
なお、本実施形態の水洗大便器１においては、リム吐水部３０であるリム導水路１３およびリム吐水口１４について、便器２を前方から見てボウル部１１の前側領域Ｆ１内の右側のリム部１０の内部に形成される例を説明するが、これに限定されず、たとえばリム吐水口１４を、便器２を前方から見てボウル部１１の前側領域Ｆ１の左側のリム部１０に形成して、後方に向けてリム吐水するようにしてもよい。
【００２７】
また、リム吐水部３０であるリム導水路１３およびリム吐水口１４については、たとえば、陶器を加工することで便器２と一体に形成してもよいし、樹脂などで便器２とは別体に形成して便器２に取り付けるようにしてもよい。
【００２８】
また、図３に示すように、ボウル部１１の底部には、排水トラップ管路１２の入口部１２ａに差し向けられるように、ジェット吐水口１７が形成される。ジェット吐水口１７は、給水系機能部７によって加圧された洗浄水を吐水（「ジェット吐水」という）する。具体的には、給水系機能部７は、洗浄水を貯留する貯水タンク１８と、貯水タンク１８に貯留された洗浄水を加圧する加圧ポンプ１９とを備えており、ジェット吐水口１７は、かかる洗浄水をジェット吐水する。
【００２９】
また、ジェット吐水口１７から吐水される洗浄水は、排水トラップ管路１２の入口部１２ａから入口部１２ａの後方の上昇管路１２ｂに流入した後、上昇管路１２ｂ内を排水トラップ管路１２の頂部１２ｃから下降管路１２ｄに流入するようになる。
【００３０】
ここで、便器２に設けられる機能部５、すなわち、衛生洗浄系機能部６および給水系機能部７について説明する。なお、機能部５である衛生洗浄系機能部６および給水系機能部７は従来と同様の構造でもあるため、かかる機能部５の詳細な説明は省略する。衛生洗浄系機能部６には、便座４（図３参照）に座ることでボウル部１１の上方に位置する使用者に向けて洗浄水を噴射するノズル装置（図示せず）を含む局部洗浄装置（図示せず）が設けられる。
【００３１】
この他、衛生洗浄系機能部６には、局部洗浄装置に供給される洗浄水を貯留する貯水部（図示せず）、貯水部内の洗浄水を適温に温めて温水にする加熱器（図示せず）、換気ファン（図示せず）、脱臭ファン（図示せず）、温風ファン（図示せず）、およびこれらの機器の作動を制御するコントローラ（図示せず）などが設けられる。
【００３２】
一方、給水系機能部７の給水路（図示せず）は、上流側が給水源である水道（図示せず）に接続されており、貯水タンク１８（図３参照）の上流側の給水路には、定流量弁（図示せず）、電磁弁（図示せず）、貯水タンク１８への給水とリム吐水口１４への吐水とを切り替える切替弁（図示せず）などが設けられる。
【００３３】
この他、給水系機能部７には、電磁弁の開閉操作、切替弁の切り替え操作、および加圧ポンプ１９（図３参照）の回転数や作動時間などを制御するコントローラ（図示せず）などが設けられる。
【００３４】
また、図５に示すように、便器２は、通水路１６をさらに備える。通水路１６は、リム吐水口１４からリム吐水される洗浄水の流路であり、リム吐水口１４の下流端からボウル部１１の後部湾曲部にかけて形成される。通水路１６は、リム部１０の内周面２４、リム部１０の内周面２４の下方に形成される棚面９およびリム部１０の内周面２４の上方に形成されるオーバーハング部２５によって囲まれたＵ字形状の流路断面となるように形成される。
【００３５】
なお、本実施形態の水洗大便器１においては、リム吐水口１４によるリム吐水について水道の給水圧力を利用して、ジェット吐水口１７によるジェット吐水について加圧ポンプ１９を制御することにより貯水タンク１８（いずれも、図３参照）内の洗浄水を供給する、いわゆるハイブリッド式の水洗大便器の形態について説明するが、これに限定されず、他の形態についても適用可能である。
【００３６】
他の形態としては、たとえば、水道のみから直接的に供給される洗浄水を、バルブを切り替えることによってリム吐水口１４によるリム吐水とジェット吐水口１７によるジェット吐水とを切り替えるような形態、貯水タンク内の洗浄水を、ポンプのみを切り替えることによって、リム吐水口１４によるリム吐水とジェット吐水口１７によるジェット吐水とを切り替えるような形態などがある。
【００３７】
＜リム吐水部＞
次に、図４〜図６Ｅを参照してリム吐水部３０（リム導水路１３およびリム吐水口１４）の詳細について説明する。図６Ａ〜図６Ｅには、リム導水路１３の上流側から下流側にかけて５カ所の流路断面を示している。図６Ａは、図５におけるＡ−Ａ断面図である。図６Ｂは、図５におけるＢ−Ｂ断面図である。図６Ｃは、図５におけるＣ−Ｃ断面図である。図６Ｄは、図５におけるＤ−Ｄ断面図である。図６Ｅは、図５におけるＥ−Ｅ断面図である。
【００３８】
図４および図５に示すように、リム導水路１３は、リムノズル４０を介して導水管１５に接続される入口部１３ａと、入口部１３ａからリム部１０の内部を前方（Ｙ軸の負方向）に向かって延びる外側部１３ｂと、外側部１３ｂの下流端からボウル部１１の中心に向かう側となる内側に屈曲する屈曲部１３ｃと、屈曲部１３ｃから後方（Ｙ軸の正方向）に向かってリム吐水口１４まで延びる内側部１３ｄとを備える。
【００３９】
図６Ａに示すように、リム導水路１３の外側部１３ｂ（図５参照）は、リム部１０の外側（Ｘ軸の正方向）の外側壁部２０と、外側壁部２０の下端から内側（Ｘ軸の負方向）に一体に形成される下側壁部２１と、外側壁部２０と水平方向に対向するとともに下端が下側壁部２１の上端に接着される内側壁部２２と、内側壁部２２の上端に一体に形成されるとともに外側壁部２０の上端に接着される上側壁部２３とを備える。
【００４０】
リム導水路１３の外側部１３ｂの下側壁部２１の上端面と内側壁部２２の下端面との接着面ｂ１は、略水平面を形成している。また、リム導水路１３の外側部１３ｂの上端面と上側壁部２３との接着面ｂ２は、略水平面となる接着面ｂ１に対して傾斜した傾斜面を形成している。なお、「略水平面」とは、完全な水平面だけでなく、下側壁部２１の上端面と内側壁部２２の下端面、すなわち接着面ｂ１同士が互いに水平方向（Ｘ軸方向）にずれることができる程度の水平面を含む。
【００４１】
これにより、たとえば、本実施形態の水洗大便器１の製造時において、リム導水路１３の下側壁部２１の上端の接着面ｂ１に内側壁部２２の下端の接着面ｂ１を接着させると同時にリム導水路１３の外側壁部２０の上端の接着面ｂ２に上側壁部２３の接着面ｂ２を接着させる場合に、水平面を形成する接着面ｂ１が製造誤差などで互いに水平方向にずれてしまったとしても、水平面に対して互いに傾斜した傾斜面を形成する外側壁部２０の接着面ｂ２と上側壁部２３の接着面ｂ２とが先行して当接する。
【００４２】
このため、リム導水路１３における外側部１３ｂから内側部１３ｄの流路断面Ａ〜Ｅ（図５参照）が接着面ｂ１同士のずれによって完全に潰されてしまうのを防ぐことができ、リム導水路１３の導水領域を、リム導水路１３の全域にわたって確保することができる。
【００４３】
図６Ａ〜図６Ｂに示すように、リム導水路１３は、外側方を外側壁部２０の壁面２０ａ、下方を下側壁部２１の壁面２１ａ、内側方を内側壁部２２の壁面２２ａ、上方を上側壁部２３の壁面２３ａによって規定されている。
【００４４】
図６Ａは、リム導水路１３の上流側となる入口部１３ａ付近の断面図である（図５参照）。図６Ａに示すように、リム導水路１３は、入口部１３ａ付近において、内側（Ｘ軸の負方向）に向かうにつれて下り傾斜する外側壁部２０の壁面２０ａと、壁面２０ａよりも内側に向かうにつれて緩やかに下り傾斜する下側壁部２１の壁面２１ａと、上下方向（Ｚ軸方向）に延びる内側壁部２２の壁面２２ａと、左右方向（Ｘ軸方向）に延びる上側壁部２３の壁面２３ａとによって形成される断面形状を有する。
【００４５】
図６Ｂは、リム導水路１３の入口部１３ａの直近の下流側の断面図である（図５参照）。図６Ｂに示すように、リム導水路１３は、上部に、外側壁部２０の壁面２０ａの上端部と、内側壁部２２の壁面２２ａの上端部と、上側壁部２３の壁面２３ａによって横向き、すなわち、左右方向（Ｘ軸方向）に長い長孔が形成される。
【００４６】
また、リム導水路１３は、横向きの長孔の下方に、横向きの長孔から連続するとともに、外側壁部２０の壁面２０ａと、下側壁部２１の壁面２１ａと、内側壁部２２の壁面２２ａとによって縦向き、すなわち、上下方向（Ｚ軸方向）に長い長孔が形成される。
【００４７】
具体的には、リム導水路１３は、横向きの長孔と縦向きの長孔とが組み合わされた逆Ｌ字形状の断面形状に形成される。このため、リム導水路１３は、リム部１０の上下方向の中心（中心線）ｃ２よりも上側が鉤状の断面形状に形成され、中心線ｃ２よりも下側が直線状の断面形状に形成される。すなわち、リム導水路１３は、入口部１３ａの直近の下流側（リム導水路１３全体においては上流側）において、リム部１０の上下方向における下半部の断面積が上半部の断面積よりも小さい。
【００４８】
図６Ｃは、リム導水路１３の前後方向の中央付近の断面図である（図５参照）。図６Ｃに示すように、リム導水路１３は、上部に、外側壁部２０の壁面２０ａの上端部と、内側壁部２２の壁面２２ａの上端部と、上側壁部２３の壁面２３ａによって横向き、すなわち、左右方向（Ｘ軸方向）に長い長孔が形成される。
【００４９】
具体的には、リム導水路１３は、前後方向の中央付近においても、横向きの長孔と縦向きの長孔とが組み合わされた逆Ｌ字形状の断面形状に形成される。このため、リム導水路１３は、リム部１０の上下方向の中心線ｃ２よりも上側が鉤状の断面形状に形成され、中心線ｃ２よりも下側が直線状の断面形状に形成される。すなわち、リム導水路１３は、入口部１３ａの直近の下流側（リム導水路１３全体においては上流側）において、リム部１０の上下方向における下半部の断面積が上半部の断面積よりも小さい。
【００５０】
図６Ｄは、リム導水路１３の前後方向の中央よりも下流側の断面図である（図５参照）。図６Ｄに示すように、リム導水路１３は、長辺となる外側壁部２０の壁面２０ａと、短辺となる下側壁部２１の壁面２１ａと、壁面２０ａと対向する長辺となる内側壁部２２の壁面２２ａと、壁面２１ａと対向する短辺となる上側壁部２３の壁面２３ａとによって縦向き（Ｚ軸方向）の長孔状の断面形状に形成される。
【００５１】
図６Ｅは、リム導水路１３の屈曲部１３ｃの直近の上流側の断面図である（図５参照）。図６Ｅに示すように、リム導水路１３は、長辺となる外側壁部２０の壁面２０ａと、短辺となる下側壁部２１の壁面２１ａと、壁面２０ａと対向する長辺となる内側壁部２２の壁面２２ａと、壁面２１ａと対向する短辺となる上側壁部２３の壁面２３ａとによって縦向き（Ｚ軸方向）の長孔状の断面形状に形成される。
【００５２】
すなわち、リム導水路１３は、入口部１３ａの直近の下流側において洗浄水が流れ込む上部空間が形成され、下流側になるにつれて上部空間の左右幅が狭くなるように縮小していくように形成される。
【００５３】
ここで、本実施形態の水洗大便器１のように、ボウル部１１の前部、すなわち、前側領域Ｆ１（図４参照）内にリム吐水口１４が形成されるものは、リム導水路１３の全長が長くなり、リム導水路１３内に溜まっている空気の量が、導水路が短い場合よりも増大している。
【００５４】
このため、リム吐水する場合に、リム吐水口１４がリム導水路１３に対して小径であり、かつ、リム吐水口１４が後方に向けてリム吐水することからリム導水路１３に屈曲部１３ｃが形成されるため、リム吐水口１４からは空気の塊と洗浄水とが同時に吐出される。また、リム導水路１３内の空気は、リム導水路１３の上部に溜まっている場合が多いため、洗浄水に撹拌されにくい。このため、空気は塊のままリム吐水口１４から吐出されるようになる。このようなことから、リム吐水時に空気による異音が発生することがある。
【００５５】
上記した実施形態によれば、図６Ｂおよび図６Ｃに示すように、リム導水路１３が上下方向における下半部の断面積が上半部の断面積よりも小さくなるように形成されるため、リム導水路１３によって導水される洗浄水がリム導水路１３内における上部に流れ込みやすくなり、リム導水路１３内の上部に溜まっている空気が流れ込んだ洗浄水に撹拌される。これにより、リム導水路１３内の空気が微細化され、リム吐水口１４からの洗浄水の吐水時における空気による異音を抑制することができ、静音性を向上させることができる。
【００５６】
とくに、意匠性や洗浄水の旋回性の向上のためにボウル部１１の前側領域Ｆ１にリム吐水口１４を配置しても、空気による異音を抑制することができ、静音性を向上させることができる。
【００５７】
また、リム導水路１３が、上下方向の断面形状が縦向きの長孔と横向きの長孔とを組み合わせた形状（逆Ｌ字形状）に形成されるため、下半部の断面積が上半部の断面積よりも小さくなるようなリム導水路１３を容易に形成することができる。
【００５８】
なお、上記した実施形態では、縦向きの長孔と横向きの長孔と逆Ｌ字形状となるように組み合わせた断面形状としているが、これに限定されず、逆三角形状などのように様々な断面形状としてもよい。また、縦向きの長孔と横向きの長孔とを組み合わせる場合においても、たとえば、Ｔ字形状や、横線が上下方向の中心よりも上側にあるような十字形状などの様々な断面形状としてもよい。要するに、上下方向における下半部の断面積が上半部の断面積よりも小さければ、任意の形状としてよい。
【００５９】
また、上記した実施形態によれば、リム導水路１３が、外側部１３ｂと、屈曲部１３ｃと、内側部１３ｄとを備え、リム吐水口１４が、内側部１３ｄの終端に形成され後方に向けて洗浄水をリム吐水することで、リム吐水口１４がボウル部１１の前側領域Ｆ１に形成されながらも、リム導水路１３がボウル部１１の前端を経由させる場合に比べてリム導水路１３の容積を小さくすることができる。このため、リム導水路１３内に溜まる空気の量を減らすことができ、空気による異音をさらに抑制することができる。
【００６０】
なお、リム導水路１３内に溜まっている空気の塊がその流れ（洗浄水との界面）が不安定になりやすい屈曲部１３ｃにおいて分離されることで異音が発生しやすい面があるが、上記したように、リム導水路１３内の上部に溜まっている空気が、屈曲部１３ｃに到達する前に洗浄水に撹拌されるため、空気による異音を抑制することができる。
【００６１】
また、リム導水路１３には、入口部１３ａにガイド部５０（図８Ａ、図８Ｂおよび図８Ｃ参照）が設けられる。ガイド部５０は、リム導水路１３内において入口部１３ａと上部空間とを区画する面（以下、ガイド部を「ガイド面」という）であり、リムノズル４０（図４参照）から吐水される洗浄水が衝突するように設けられ、洗浄水と衝突して洗浄水を上部空間に流し込む。なお、ガイド面５０によって上部空間に流れ込んだ後の洗浄水の流れについては、図８Ａ、図８Ｂおよび図８Ｃを用いて後述する。
【００６２】
かかる構成によれば、洗浄水がリム導水路１３内における上部にさらに流れ込みやすくなり、リム導水路１３内の上部に溜まっている空気がより確実に撹拌され、空気による異音をさらに抑制することができる。
【００６３】
図４および図５に戻り、リム吐水口１４は、リム導水路１３の内側部１３ｄの先端に形成される。リム吐水口１４は、リム導水路１３に導水される洗浄水を後方に向けてリム吐水する。リム吐水口１４からリム吐水された洗浄水は、通水路１６を流れて汚物受け面８内を旋回しながら流れる旋回流となる。
【００６４】
また、リム吐水口１４は、リム吐水口１４の上端がリム部１０の上下方向における下半部に位置するように形成される。かかる構成によれば、リム吐水口１４の直前のリム導水路１３の容積を小さくすることができる。このため、リム導水路１３内に溜まる空気の量を減らすことができ、空気による異音をさらに抑制することができる。
【００６５】
なお、リム吐水口１４が比較的小さくなるため、リム吐水口１４から空気が吐出されにくくなることで、異音が発生しやすい面があるが、リム導水路１３内の上部に溜まっている空気が屈曲部１３ｃに到達する前に撹拌されるため、空気による異音を抑制することができる。
【００６６】
また、リム吐水口１４を、リム吐水口１４の開口断面が頂点が上向きの三角形状に形成されるようにしてもよい。かかる構成によれば、リム吐水口１４の下流側の通水路１６（図５参照）の上方に位置しているオーバーハング部２５（図５参照）の領域を小さくすることができる。
【００６７】
＜リムノズル＞
次に、図７Ａ〜図７Ｄを参照してリムノズル４０について説明する。図７Ａは、リムノズル４０の斜視図である。図７Ｂは、リムノズル４０の平面図である。図７Ｃは、図７ＢにおけるＦ−Ｆ断面図である。図７Ｄは、リムノズル４０の吐水面４３ａの説明図である。リムノズル４０は、洗浄水源である水道（図示せず）から導水管１５（図５参照）を流れて供給される洗浄水をリム導水路１３（図５参照）内に吐水する。リムノズル４０は、リム導水路１３の入口部１３ａに設けられる。
【００６８】
図７Ａ〜図７Ｃに示すように、リムノズル４０は、ノズル本体４１と、接続部４２と、吐水部４３とを備える。ノズル本体４１は、たとえば円筒形状に形成される。ノズル本体４１は、リムノズル４０における洗浄水の通水路を形成する。接続部４２は、たとえば円筒形状に形成され、導水管１５の先端に接続されることでリムノズル４０を導水管１５に接続する。接続部４２は、ノズル本体４１の一端側に設けられるとともに、ノズル本体４１から連続して延びる空間を形成するように設けられる。
【００６９】
図７Ｃに示すように、接続部４２は、ノズル本体４１（リムノズル４０における通水路）の中心軸（中心軸線）ｃ３１に対して、所定の角度で傾斜している中心軸線ｃ３２を有する。すなわち、接続部４２は、ノズル本体４１に所定角度傾斜して設けられる。
【００７０】
図７Ａ〜図７Ｃに示すように、吐水部４３（「ノズルキャップ吐水部」ともいう）は、ノズル本体４１の他端側に、ノズル本体４１の中心軸線ｃ３１と同軸となって取り付けられる。なお、吐水部４３は、リム導水路１３にリムノズル４０を取り付けた状態において、リム導水路１３の入口部１３ａ（図８Ａ参照）に配置される。
【００７１】
吐水部４３は、吐水面４３ａを備える。吐水面４３ａは、吐水部４３における先端面であり、リム導水路１３内に向けて洗浄水を吐水する。吐水面４３ａには、洗浄水が吐水される複数の小孔４３ｂが形成される。小孔４３ｂは、たとえば９つ形成される。９つの小孔４３ｂが形成される場合、たとえば、吐水面４３ａのたとえば中心に１つの小孔４３ｂ（「中心小孔」ともいう）が形成され、中心小孔４３ｂの周りに残りの８つの小孔４３ｂが形成される。なお、１つの中心小孔４３ｂの周りの８つの小孔４３ｂは、たとえば、中心小孔４３ｂの同心円上に４５度の角度を有して形成される。
【００７２】
かかる構成によれば、複数の小孔４３ｂから洗浄水が吐水されることで、リム導水路１３（図８Ａ参照）において洗浄水が複数の流れに分かれるようになり、リム導水路１３内に溜まっている空気が複数の水流に巻き込まれやすくなり、空気が洗浄水に撹拌される。これにより、リム導水路１３内の空気が微細化される。このため、リム吐水時にリム吐水口１４から空気の塊が吐出されることで、空気の炸裂音や空気の混じり音などの異音が発生することを抑制することができる。
【００７３】
また、吐水面４３ａには、小孔４３ｂと小孔４３ｂとの間を連結するような溝が形成されてもよい。また、溝は、たとえば、中心小孔４３ｂから放射状に延びて、中心小孔４３ｂと各小孔４３ｂとを連結するように形成されてもよい。かかる溝を形成しておくことで、小孔４３ｂの表面張力によって付着する水を吐水部４３の外部に排出することができ、寒冷地などでは凍結を防止することができる。
【００７４】
ここで、リムノズル４０は、リム導水路１３内において洗浄水を上方に向けて吐水するように形成される。具体的には、図７Ｃに示すように、リムノズル４０は、吐水面４３ａ（小孔４３ｂ）の中心軸線ｃ３３がノズル本体４１の中心軸線ｃ３１に対して上方に向けて傾斜している。なお、「洗浄水を上方に向けて吐水する」とは、洗浄水の主流が上方に向いていることを示す。
【００７５】
このように、上記した実施形態によれば、リムノズル４０がリム導水路１３内において上方に向けて洗浄水を吐水するように形成されるため、リム導水路１３によって導水される洗浄水がリム導水路１３内における上部に流れ込みやすくなり、リム導水路１３内の上部に溜まっている空気が流れ込んだ洗浄水に撹拌される。これにより、リム導水路１３内の空気が微細化され、リム吐水口１４からの洗浄水の吐水時における空気による異音を抑制することができ、静音性を向上させることができる。
【００７６】
とくに、意匠性や洗浄水の旋回性の向上のためにボウル部１１の前側領域Ｆ１にリム吐水口１４を配置しても、空気による異音を抑制することができ、静音性を向上させることができる。
【００７７】
また、図７Ｄに示すように、吐水面４３ａを所定角度αの傾斜面とすることで、リムノズル４０は、吐水面４３ａの中心軸線ｃ３３をノズル本体４１の中心軸線ｃ３１に対して傾斜させる。
【００７８】
かかる構成によれば、上方に向けて洗浄水を吐水するようなリムノズル４０を容易に形成することができる。これにより、リム導水路１３によって導水される洗浄水がリム導水路１３内における上部に流れ込みやすくなり、リム導水路１３内の上部に溜まっている空気が流れ込んだ洗浄水に撹拌され、空気による異音を抑制することができる。
【００７９】
また、リムノズル４０単体を交換するだけで上方に向けて洗浄水を吐水することができるようになる。このため、汎用性を向上させることができる。また、たとえば、リムノズル４０を全体的に上方に向けて傾斜させる場合に比べて省スペース化を図ることができる。
【００８０】
＜リム導水路内における洗浄水の流れの態様＞
次に、図８Ａ〜図８Ｃを参照してリム吐水時のリム導水路１３内における洗浄水の流れの態様について説明する。図８Ａ〜図８Ｃは、リム導水路１３内の洗浄水の流れの態様を示す図である。なお、図８Ａには、リム部１０のリム導水路１３を右側方における斜め上方から見た場合を示し、図８Ｂには、リム導水路１３を右側方から見た場合を示し、図８Ｃは、リム導水路１３を後方における斜め上方から見た場合を示している。
【００８１】
図８Ａ〜図８Ｃに示すように、導水管１５から導水され、リムノズル４０の吐水面４３ａの複数の小孔４３ｂから吐水された洗浄水Ｗは、リム導水路１３の入口部１３ａにおいてガイド面（ガイド部）５０に衝突して上昇する上昇流Ｗ１となって上部空間に流れ込む。上部空間に流れ込んだ洗浄水は、リム導水路１３の上部に溜まっている空気を撹拌しながら下流側に流れていく途中で、徐々に左右幅が狭くなるリム導水路１３の上部空間から順次下降する下降流Ｗ２となってリム導水路１３の下側壁部２１に落ちるように流れ込む。
【００８２】
すなわち、リム導水路１３内において洗浄水は、リムノズル４０から吐水されてすぐに上昇して、リム導水路１３の上部を流れて空気を撹拌しながら、下流側に流れるにつれて順次下降する。洗浄水は、リム導水路１３の下流端においてリム吐水口１４（図５参照）から吐水（リム吐水）される。
【００８３】
また、図８Ａ〜図８Ｃに示すように、リムノズル４０は、リム導水路１３の側壁面（たとえば、内側壁部２２の壁面２２ａ）に向けて洗浄水を吐水するように形成される。かかる構成によれば、リムノズル４０がリム導水路１３内において上方、かつ、リム導水路１３の側壁面（たとえば、内側壁部２２の壁面２２ａ）に向けて洗浄水を吐水するように形成されるため、リム導水路１３によって導水される洗浄水がリム導水路１３内における上部に流れ込みやすくなり、かつ、リム導水路１３の側壁面（たとえば、内側壁部２２の壁面２２ａ）に沿って洗浄水を導水させることができる。これにより、リム導水路１３内の上部に溜まっている空気がより確実に撹拌され、空気による異音をさらに抑制することができる。
【００８４】
＜リム導水路内における洗浄水および空気の態様＞
次に、図９Ａ〜図１０Ｂを参照して、リム吐水時のリム導水路１３内における洗浄水と空気の態様について説明する。図９Ａおよび図９Ｂは、比較例におけるリム導水路１３内の洗浄水および空気の態様を示す図である。図１０Ａおよび図１０Ｂは、実施形態におけるリム導水路１３内の洗浄水および空気の態様を示す図である。
【００８５】
なお、図９Ａ〜図１０Ｂには、リム導水路１３を右側方から見た場合を模式的に示している。また、図９Ａおよび図１０Ａには、リム導水路１３の屈曲部１３ｃ（図５参照）に洗浄水が到達した時点での洗浄水および空気の態様を示し、図９Ｂおよび図１０Ｂには、リム吐水口１４（図５参照）からリム吐水が開始された時点での洗浄水および空気の態様を示している。
【００８６】
図９Ａおよび図９Ｂに示すように、比較例では、リムノズル１４０から吐水された洗浄水が直線状に下流側に流れる。この場合、洗浄水１００と空気１０１との界面１０２が停滞して、洗浄水１００が屈曲部１３ｃ（図５参照）に到達した時点においても上流側から下流側にかけて多量の空気を残したままである。このため、リム吐水が開始されると、洗浄水１００と空気１０１とがリム吐水口１４（図５参照）から吐出されるため、空気１０１による異音が発生しやすい。
【００８７】
一方、図１０Ａおよび図１０Ｂに示すように、実施形態においては、リムノズル４０から吐水された洗浄水は、ガイド面（ガイド部）５０によってリム導水路１３（図５参照）の上部へと流れ込み、リム導水路１３の下半部の断面積が上半部の断面積よりも小さいことでリム導水路１３の上部を流れる。また、リムノズル４０が上方に向けて洗浄水を吐水することでも、洗浄水がリム導水路１３の上部を流れるようになる。
【００８８】
リム導水路１３の上部を流れる洗浄水は、上部に溜まっている空気を撹拌しながら下流側に流れるため、空気が微細化されて洗浄水に混入され、空気が塊にならないで洗浄水と共にリム吐水口１４から吐出される。
【００８９】
このように、洗浄水がリム導水路１３内において上部を流れることで、リム導水路１３内の上部に溜まっている空気が流れ込んだ洗浄水に撹拌される。これにより、リム導水路１３内の空気が微細化され、リム吐水口１４からの洗浄水の吐水時における空気による異音を抑制することができ、静音性を向上させることができる。
【００９０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９１】
１    水洗大便器
２    便器本体（便器）
８    受け面（汚物受け面）
１０    リム部
１１    ボウル部
１３    リム導水路
１３ｂ  外側部
１３ｃ  屈曲部
１３ｄ  内側部
１４    リム吐水口
３０    リム吐水部
４０    リムノズル
４１    ノズル本体
４３    吐水部（ノズルキャップ吐水部）
４３ａ  吐水面
４３ｂ  小孔
５０    ガイド部（ガイド面）
【図１】
2018091110.tif 000003
【図２】
2018091110.tif 000004
【図３】
2018091110.tif 000005
【図４】
2018091110.tif 000006
【図５】
2018091110.tif 000007
【図６Ａ】
2018091110.tif 000008
【図６Ｂ】
2018091110.tif 000009
【図６Ｃ】
2018091110.tif 000010
【図６Ｄ】
2018091110.tif 000011
【図６Ｅ】
2018091110.tif 000012
【図７Ａ】
2018091110.tif 000013
【図７Ｂ】
2018091110.tif 000014
【図７Ｃ】
2018091110.tif 000015
【図７Ｄ】
2018091110.tif 000016
【図８Ａ】
2018091110.tif 000017
【図８Ｂ】
2018091110.tif 000018
【図８Ｃ】
2018091110.tif 000019
【図９Ａ】
2018091110.tif 000020
【図９Ｂ】
2018091110.tif 000021
【図１０Ａ】
2018091110.tif 000022
【図１０Ｂ】
2018091110.tif 000023